(57)【要約】  本発明は、ＲＦトランスポンダ用の統合アンテナ糸を含む帯状織物に関する。本発明の目的は、簡単で柔軟な方法で帯状織物を生産し、かつ短絡の危険性を回避することである。これを達成するために、帯状体はニードル織機で生産される基布（２、２ａ）から構成される。アンテナ糸（４、４ａ、４ｂ）は、前記織物の生産中に波状またはジグザグ状に基布上に載せられ、アンテナ糸ループの糸脚（１４ａ、１４ｂ）と帯状体の少なくとも１つの縁（８）との間の距離は緯糸２本分である。
2008513613.tif 000002
【特許請求の範囲】
【請求項１】
ＲＦトランスポンダ用の統合アンテナ糸を備え、基布をニードル織機で緯入れニードルを用いて生産し、前記基布の生産と同時に、アンテナ糸ループの糸脚（１４ａ，１４ｂ）の間隔が少なくとも一方の帯縁（８）で前記基布の経糸の少なくとも２本分になるように、前記基布上にアンテナ糸（４，４ａ，４ｂ）を蛇行状またはジグザグ状に配設している、帯状織物を製造するための方法であって、
前記基布（２）の製織運転を停止し、浮き経糸（１２）および前記基布の経糸から補助杼口を形成し、次いでアンテナ糸ループを帯縁（６）から前記補助杼口内に緯入れし、かつ反対側の帯縁（８）でステッチ（１０）を形成するように補助糸を用いて係止し、所望の長さの前記アンテナ糸が配設されるまで、前記アンテナ糸ループの緯入れのたびに前記操作を繰り返すことを特徴とする方法。
【請求項２】
前記アンテナ糸ループの糸脚（１４ａ，１４ｂ）が所望の間隔を達成するために必要な前記基布の経糸の本数だけ、前記補助杼口は開口した状態に維持されていることを特徴とする請求項１に記載の方法。
【請求項３】
前記アンテナ糸ループが、少なくとも２本のステッチ（１０，１０ａ）を用いて形成されていることを特徴とする請求項１および２のいずれか１項に記載の方法。
【請求項４】
前記アンテナ糸（４，４ａ，４ｂ）上の浮き経糸が、接着性のあるまたは融着可能であるように設計され、前記アンテナ糸に点状に接着接合または融着されていることを特徴とする請求項１〜３のいずれか１項に記載の方法。
【請求項５】
前記アンテナ糸（４，４ａ，４ｂ）の長さが、配設されるＲＦトランスポンダに合わされていることを特徴とする請求項１〜４のいずれか１項に記載の方法。
【請求項６】
前記帯状織物が、複数のラベルを備えたラベルストリップとして設計されていることを特徴とする請求項１〜５のいずれか１項に記載の方法。
【請求項７】
ＲＦトランスポンダ用の統合アンテナ糸を備えるラベルストリップであって、請求項６に従って生産され、かつ各ラベルが予め定められた長さのアンテナ糸（４，４ａ，４ｂ）を備えていることを特徴とするラベルストリップ。
【発明の詳細な説明】
【技術分野】
【０００１】
本発明は、ＲＦトランスポンダ用の統合アンテナ糸を備えた帯状織物に関する。
【背景技術】
【０００２】
冒頭に述べたタイプの帯状織物は、例えばＷＯ０１３６７２８から公知である。そこでは、例えばアンテナとして働く導電路は、とりわけ基布の連続緯糸として導入されている。このことの不利な点は、導電糸の個々の糸脚が相互に近接しており、前記導電糸に複雑な絶縁体を設けない限り、絶えず短絡の危険性が存在することである。
【０００３】
ＵＳ６６７７９１７は、例えばＲＦトランスポンダとして知られている無線周波数トランスポンダを固定することができ、かつ統合アンテナを有する、例えば衣料品のような織物を開示している。しかしながら、この文献はそのようなアンテナ糸をどのように織物に固定するかを詳述していない。
【発明の開示】
【発明が解決しようとする課題】
【０００４】
本発明の目的は、製造中にアンテナ糸を中に組み込むことができ、前記アンテナ糸の短絡の危険性を回避する、帯状織物を提供することである。
【課題を解決するための手段】
【０００５】
設定された目的は、請求項１の特徴的性質によって達成される。
【０００６】
前記アンテナ糸を基布上に配設することによって、前記アンテナ糸は、一方では簡単な方法で基布に接続することが可能となり、他方では、所要長さの前記アンテナ糸を帯状織物の比較的短い部分に分布させることができるように蛇行状またはジグザグ状に取付けることが可能となる。さらに、少なくとも１つの帯縁におけるアンテナ糸ループの前記糸脚の間隔は、前記基布の少なくとも２本の緯糸になるため、このことは前記アンテナ糸の隣接糸脚が相互に接触しないことを確実にしており、それ故に前記アンテナ糸の所要長さに悪影響を及ぼす短絡が解消されることとなる。
【０００７】
本発明の有利な改良を請求項２〜６に記載する。
【０００８】
請求項２によると、前記アンテナ糸は固定点に基布の緯糸が通過するループを持つことが可能である。この設計は比較的単純であるが、前記アンテナ糸の係止点が前記基布の反対側に見えるという不利な点を有する。
【０００９】
請求項３に記載する改良はより有利であり、請求項３によると、前記アンテナ糸は緯糸ループのように配設されることとなる。前記アンテナ糸は一方の帯縁に緯入れされ、少なくとも１目のステッチを用いて他方の帯縁に固定されている。前記アンテナ糸を前記基布に固定するために、その都度に各アンテナ糸ループの糸脚の各組合わせの上方に配設される少なくとも１つの浮き経糸が存在している。請求項４によると、アンテナ糸の上に浮く経糸が、接着性または融着可能であるように設計され、前記アンテナ糸に点状に接着接合または融着されると、特に有利である。
【００１０】
請求項５によると、前記アンテナ糸の長さは配設される前記ＲＦトランスポンダと公知の方法で合わされることとなる。
【００１１】
請求項６に記載する改良は特に有利であり、請求項６によると、前記帯状織物は原則的に複数のラベルを有するラベルストリップとして設計され、各ラベルは予め定められた長さのアンテナ糸を備えている。次いで前記個々のラベルは前記ラベルストリップから分離され、個別のラベルを形成している。各々のそのようなラベルは、対応するＲＦトランスポンダを装備しているか、あるいは装備状態にすることが可能である。
【発明を実施するための最良の形態】
【００１２】
以下で、本発明の例示的実施形態について、図面を参照しながら説明する。
【００１３】
図１〜図３は帯状織物の詳細を示しており、基布２はニードル織機で通常の方法で生産されている。基布は、ここでは詳細に示していない経糸を備え、同様にここでは詳細に示していない緯糸ループが経糸に結束されている。緯糸ループは緯入れニードルを用いて片側から公知の方法で緯入れされ、反対側で編針を用いて係止されている。この場合、緯糸ループは様々な方法で編針を用いて係止することが可能であり、緯糸ループはそれ自体にまたは補助糸を用いて固定されている。
【００１４】
アンテナ糸４はこの基布２に蛇行状に配設される。アンテナ糸４は、緯糸ループのように配設され、一方の帯縁６から緯入れされ、その都度ステッチ１０によって他方の帯縁８に固定されることとなる。特に図２および図３から推測されるように、アンテナ糸４を固定するために、アンテナ糸ループの糸脚１４ａ，１４ｂの組合せの上方にその都度走行する浮き経糸１２が存在している。浮き経糸は、接着性を有しまたは融着可能であるように設計され、アンテナ糸に点状に接着接合または融着されることが好ましい。
【００１５】
図１〜図３の実施例では、アンテナ糸ループの糸脚１４ａ，１４ｂは平行に走行し、糸脚の間隔は両方の帯縁６，８で基布の複数本の緯糸になる。
【００１６】
アンテナ糸を備えるそのような帯状織物を生産するために、例えばＤＥ２４００１０１Ｃ、ＥＰ０１２１６４８Ａ、ＧＢ２１４６６６５Ａ、ＵＳ５５６４４７７Ａ、およびＣＨ６６３６２９Ａに記載されているような、例えばニードル織機および緯入れニードルが存在する。アンテナ糸ループを緯入れするために、基布２の製織運転は停止され、浮き経糸１２および基布の経糸から補助杼口が形成され、次いでアンテナ糸が帯縁６から前記補助杼口内に緯入れされ、ステッチ１０を形成するように補助糸を用いて反対側の帯縁８で係止されている。次いで、アンテナ糸ループの糸脚１４ａ，１４ｂを所望の間隔にすることを達成するために必要な基布の経糸の本数だけ、この補助杼口は開口した状態に維持される。次いで基布の製織運転の再停止が行われ、第２ステッチ１０ａによってアンテナ糸ループの係止が行われ、その後補助杼口が閉じられる。アンテナ糸ループはまた、２目のステッチ１０，１０ａより多くのステッチで固定することも可能である。各ステッチ１０，１０ａの上方には別個の経糸１２ａが走行する。所望の長さのアンテナ糸が配設されるまで、アンテナ糸ループの緯入れのたびに、当該操作が繰り返される。
【００１７】
図４は、図１〜図３の帯状織物と同様の方法で構成され生産されるが、この場合、アンテナ糸４ａがジグザグ状に走行する、さらなる帯状織物を示す。この目的のために、緯入れされたアンテナ糸ループは、１目のステッチ１０だけで帯縁８に係止される。アンテナ糸ループの糸脚１４ａ，１４ｂは、一方の帯縁８では１本の経糸の間隔を有し、他方の帯縁６だけが基布の複数本の経糸の間隔を有することとなる。
【００１８】
図５は、基布２ａをニードル織機で生産した帯状織物のさらなる実施例を示す。本目的のために、基布の緯糸１６は一方の帯縁６から緯入れされ、ここでは詳細に示していない例えばＣＨ４９０５４１に示されるような公知の方法で、編針を用いて他方の帯縁８で係止される。アンテナ糸４ｂは基布２ａ上にジグザグ状に配設される。接続点１８で、アンテナ糸４ｂはループ２０を形成し、ループ２０に基布の緯糸１６が通される。この帯状織物の生産は、アンテナ糸４ｂが、経糸杼口の上方に供給され、固定点でダガーによって開口した織物の杼口内に導入されるという、例えばＣＨ４９０５４１に従って行われる、そのため、その都度、対応する基布の緯糸１６がループ２０を貫通して固定することができるようになる。この固定技術は、一方では比較的複雑であり、他方ではアンテナ糸４ｂのループ２０が帯状織物の反対側に見えるという不利な点を有する。ここでもまた、図４の実施例の場合と同様に、アンテナ糸ループの糸脚の間隔は、一方の帯縁では基布の緯糸のわずか１本分になり、他方の帯縁では基布の緯糸の複数本分になることとなる。
【００１９】
帯状織物は、印刷および／または織込み画像および文字を設けることのできる連続ラベルを携行する公知のラベルストリップとして設計されることが好ましい。そのようなラベルストリップは同様に、公知の方法で個別ラベルに細分化されることとなる。
【００２０】
そのようなラベルは例えば、８６８ＭＨｚ用に設計されて、約１７ｃｍの長さの対応アンテナ糸を必要とする、ＲＦトランスポンダを装備することが可能である。
【図面の簡単な説明】
【００２１】
【図１】アンテナ糸が蛇行状に配設された帯状織物の平面図である。
【図２】図１の帯状織物のＩＩ−ＩＩ断面図である。
【図３】図１の帯状織物のＩＩＩ−ＩＩＩ断面図である。
【図４】アンテナ糸がジグザグ状に配設されたさらなる帯状織物の平面図である。
【図５】アンテナ糸がジグザグ状に配設されたさらなる帯状織物の平面図である。
【符号の説明】
【００２２】
２      基布
２ａ    基布
４      アンテナ糸
４ａ    アンテナ糸
４ｂ    アンテナ糸
６      帯縁
８      帯縁
１０    ステッチ
１０ａ  ステッチ
１２    浮き経糸
１２ａ  浮き経糸
１４ａ  糸脚
１４ｂ  糸脚
１６    基布緯糸
１８    接続点
２０    ループ
【図１】
2008513613.tif 000003
【図２】
2008513613.tif 000004
【図３】
2008513613.tif 000005
【図４】
2008513613.tif 000006
【図５】
2008513613.tif 000007
【国際調査報告】
2008513613.tif 000008
2008513613.tif 000009
2008513613.tif 000010
2008513613.tif 000011
2008513613.tif 000012
2008513613.tif 000013